(57)【要約】【解決手段】ある人物独自の静止画、ビデオ、音声、またはデータファイルを収めたＣＤ（１２１）を作成し、葉書状の媒体（１２５）、グリーティングカード（１２５）等に包装する。カード（１２５）には、格納されたファイルから引き出した、あるいは適切な画像ライブラリから選択されたパーソナライズされた画像が印刷される。【選択図】図１Ａ
2004531433.tif 000002
【特許請求の範囲】
【請求項１】
少なくとも１つの格納されたユーザ指定のコンピュータファイルを含み、所定の物理形状を有するコンピュータ書き込み可能な記憶媒体と、
外側表面を有する第１の薄層と第２の薄層とを離間させる中間フィラーを有するパッケージであって、前記中間フィラーは、前記所定の形状に対応するようになっているポケットが内部に形成され、前記第１の薄層の前記外側表面には、前記格納されたユーザ指定のコンピュータファイルに関連し画像が施されている、パッケージと
を含むパーソナライズされた記憶媒体および包装体。
【請求項２】
前記第２の薄層は、郵便の宛先が印刷されるようになっている第２の外側表面をさらに含む請求項１に記載のパーソナライズされた記憶媒体および包装体。
【請求項３】
前記コンピュータファイルは画像ファイルをさらに含み、前記第１の薄層の前記外側表面に施され、前記格納されたユーザ指定の画像ファイルに関連する前記画像は、前記画像ファイルから引き出した画像をさらに含む請求項１に記載のパーソナライズされた記憶媒体および包装体。
【請求項４】
前記少なくとも１つの格納されたユーザ指定のコンピュータファイルの、格納された第２のユーザ指定のコンピュータファイルをさらに含み、該第２のユーザ指定のコンピュータファイルはビデオファイルをさらに含み、前記コンピュータ書き込み可能な記憶媒体は前記ビデオファイルと前記画像ファイルの間のリンクをさらに含む請求項３に記載のパーソナライズされた記憶媒体および包装体。
【請求項５】
パーソナライズされた記憶媒体および包装体を作成する装置であって、
静止画コンテントの入力を受け付けて、前記パーソナライズされた記憶媒体への格納に適した第１のデジタル画像ファイルと、前記包装体上への画像印刷に適した第２のデジタル画像ファイルとを作成するプロセッサと、
前記第１のデジタル画像ファイルを前記パーソナライズされた記憶媒体に格納するデータレコーダと、
前記第２のデジタル画像ファイルを前記包装体の第１の表面上に印刷するプリンタと
を備える、パーソナライズされた記憶媒体および包装体を作成する装置。
【請求項６】
前記包装体の第２の表面上への印刷に適したユーザからの入力を受け付けるデータプロセッサと、
音声コンテントの入力を受け付けて、前記パーソナライズされた記憶媒体への格納に適したデジタル音声ファイルを作成する音声プロセッサと
をさらに備える請求項５に記載のパーソナライズされた記憶媒体および包装体を作成する装置。
【請求項７】
少なくとも１つのユーザ指定のコンピュータファイルを、所定の物理形状を有するコンピュータ書き込み可能な記憶媒体に格納するステップと、
前記格納したユーザ指定のコンピュータファイルに関連する画像を前記包装体の第１の外側表面上に印刷するステップと、
フィラー中にポケットを形成するステップであって、該ポケットは前記所定の形状に対応するようになっている、形成するステップと、
前記第１の外側表面と第２の外側表面の間に前記フィラーを配置するステップと
を含むパーソナライズされた記憶媒体および包装体を作成する方法。
【請求項８】
前記パーソナライズされた記憶媒体および包装体の作成に対する支払いを受けるステップをさらに含む請求項７に記載の方法。
【請求項９】
前記第２の外側表面に郵便の宛先を印刷するステップをさらに含む請求項１３に記載の方法。
【請求項１０】
前記少なくとも１つのユーザ指定のコンピュータファイルを格納するステップは、少なくとも１つのユーザ指定の画像ファイルを格納するステップをさらに含み、
前記格納されたユーザ指定の画像ファイルに関連する画像を施すステップは、前記画像ファイルから引き出した画像を前記包装体の前記第１の外側表面上に施すステップをさらに含む請求項７に記載の方法。
【請求項１１】
前記少なくとも１つのユーザ指定のコンピュータファイルを格納するステップは、第２のユーザ指定のコンピュータファイルをビデオファイルとして格納するステップと、前記ビデオファイルと前記画像ファイルをリンクするステップとをさらに含む請求項１０に記載の方法。
【請求項１２】
前記少なくとも１つのユーザ指定のコンピュータファイルを格納するステップは、第２のユーザ指定のコンピュータファイルをデジタル音声ファイルとして格納するステップをさらに含む請求項１０に記載の方法。
【請求項１３】
請求項７に記載の方法により作成されたパーソナライズされた記憶媒体および包装体。
【発明の詳細な説明】
【技術分野】
【０００１】
本発明は、包括的にはパーソナライズされた情報の格納および共有に関し、特にパーソナライズされた包装体（packaging）に封入されるコンピュータ記憶媒体上に記録されたパーソナライズされた情報を提供する装置および方法に関する。
【０００２】
本発明は、Michael J. Jonesらを代理して２００１年２月２３日付けで提出され、本発明の譲受人に譲渡された米国特許出願第０９／７９２，７９１号「マルチメディアコンテントの記録保管および共有（Archiving and Sharing of Multimedia Content）」の一部継続出願である。
【背景技術】
【０００３】
一般向けの静止画写真撮影法はデジタル時代に入りつつある。もちろん、プロ向けの写真撮影法ではかねてからデジタル記憶および画像改善機能が用いられてきたが、消費者向けのデジタルでの画像の撮像および格納機能は比較的新しく開発されたものである。消費者向けのデジタルカメラは市場で普及してきており、消費者によるカメラの購入台数は急速に増加し始めている。デジタルカメラが従来の銀塩の化学処理を基にしたフィルムカメラに取って代わるであろうことが予想されている。デジタルカメラは通常、撮像した画像をコンピュータファイルで、カメラの製造業者によって選択される様々なデジタル記憶媒体のうちの１つに格納し、その後ユーザが、格納した画像をコンピュータ、プリンタ、または他の外部デバイスにダウンロードして、人間が知覚できる形式に変換する。多くの場合に、銀塩プリントはデジタル化され、あるいは元のデジタルカメラ画像は再び、ＣＤに格納される。これは、コンピュータのＣＤ−ＲＯＭ記憶技術に基づくプロ向けのコダック社独自の技術である「フォトＣＤ」、あるいはより一般的なＪＰＥＧ規格を用いた「ピクチャーＣＤ」といった静止画仕様を用いて行われる。明らかに、ピクチャーＣＤ規格を用いてＣＤに格納される画像は、コンピュータによって読み取り可能であるが、一般的には従来のビデオＣＤ（ＶＣＤ）プレーヤや従来のデジタル多用途ディスク（ＤＶＤ）プレーヤでは読み取ることができない。「コンパクトディスク」という用語は標準化された意味を持つことを注記しなければならない。しかし、本明細書において「ＣＤ」という用語は、一般に広く知られる全体的な外観および用途を有し、かつデータ、音声（audio：オーディオ）、ビデオ等を様々に格納する物理的な記憶媒体を指して用いられている。
【０００４】
消費者は、デジタルフォーマットの動画やデジタルフォーマットの音楽のコンテントを楽しむためにコンピュータ技術に慣れ親しむ必要はない。デジタルで記録された動画およびデジタルで記録された音楽は、コンピュータを利用することなくアクセスして楽しむことができる。同様に、今日の消費者は、フィルムカメラやビデオカムコーダ（さらにはデジタルビデオカムコーダ）を購入し、コンピュータの知識なしに満足に使用することができる。フィルムは任意数の写真現像業者（photo processors）によって現像および印刷され、カムコーダはいつでもＴＶにつないで家族のビデオを閲覧することができる。
【０００５】
ビデオコンテント、動画等のデジタル記録は、一般に認められたアナログビデオテープ規格からデジタル記憶規格へ移行しつつある。事前に録画してある消費者製品の場合、このデジタル記憶はＤＶＤ媒体上に行われるが、ハイエンドの消費者向けビデオ録画はデジタルビデオテープ媒体を用いて行われている。現時点で、複数のデジタルビデオ規格が存在するが、最も広く一般に認められた規格は、ＤＶＤ規格（当てはまる仕様のリストをwww.licensing.philips.com/dvdsystems/dvdspecs.htmlで見ることができる）およびビデオＣＤ（ＶＣＤ）規格（一般に「ホワイトブック」と呼ばれ、ビデオＣＤ仕様バージョン２．０（Video CD Specification Version 2.0）（Philips Consumer Electronics B.V., April 1995）と題する）ならびにこれらの規格の変形および更新版（例えばスーパービデオＣＤ）に分類することができる。高解像度のＤＶＤ規格のＣＤ用プレーヤは、ＶＣＤ規格のＣＤを再生するように容易に設計することができる（ＤＶＤが用いるＭＰＥＧ−２規格のデータ圧縮はＶＣＤが用いるＭＰＥＧ−１規格のデータ圧縮も包含するため）が、その逆は容易には達成できないため、経済的理由から行われない。アジア市場がＶＣＤを支持することから（さらに、ＤＶＤがＶＣＤのＭＰＥＧ−１技術の上位集合であるＭＰＥＧ−２の圧縮技術を使用するために追加が比較的単純で安価な特徴であることから）、米国市場および世界市場で市販されているＤＶＤプレーヤのほとんどはＤＶＤだけでなくＶＣＤもサポートしている。ＶＣＤ規格のＣＤは現在、ＤＶＤ規格のＣＤよりも製造がより容易で低価格であることも無視すべきでない。
【０００６】
これらの親しまれている技術とは対照的に、デジタルスチルカメラの購入者は、十分な品質のハードコピープリントを生成するためには、コンピュータ（または適切に備え付けられたコンピュータのプリンタ）へのアクセスを有し、相当な使用経験（デジタルカメラのソフトウェアをインストールして使用することは決して易しいことではない）、があって、さらにおよびキーボードの前で何時間も作業を行なうことができる時間がなければならない。この問題に対応して消費者向けに、デジタル写真を受け付けて印刷するデジタルカメラ用キオスクが小売店に設けられている。残念ながら、この解決策は、現在の銀塩フィルムの現像プロセスを用いるのと同等のものを提供するに過ぎない（only recovers parity with）。さらに消費者は、デジタル技術によって可能となった多くの方法で自分のデジタル写真および他のコンテントにアクセスする、あるいはそれらを共有するために、依然としてコンピュータに頼らなければならない。
【発明の開示】
【発明が解決しようとする課題】
【０００７】
人々が、自らの出来事がいっぱい詰まった情報源を容易かつ迅速に作成し、この情報源を物理的かつパーソナライズされた態様で特定の他人に送ることを可能にするユーザフレンドリーな製品が必要である。
【課題を解決するための手段】
【０００８】
パーソナライズされた（個人の好みに合わせられた、あるいは、カスタマイズされた）記憶媒体および包装体（packaging）を作成して、少なくとも１つのユーザ指定のコンピュータファイルを、所定の物理形状を有しているコンピュータ書き込み可能な記憶媒体に格納する。上記格納したユーザ指定のコンピュータファイルに関連する画像を包装体の第１の薄層の外側表面上に施す。上記包装体は、上記第１の薄層と第２の薄層の間に配置されたフィラー（filler：充填材）を含み、当該フィラーは、上記所定の形状に対応するようにされているポケットを含む。
【発明を実施するための最良の形態】
【０００９】
本発明の一実施形態においては、物理的なカード、例えば葉書、グリーティングカード等が、ＣＤ等の挿入された記録媒体（inserted recorded medium）に収容された大量のデジタル化情報を用いてよりよいものにされパーソナライズされる。さらに、カードの外観が、ユーザによって選択または作成された写真または画像を用いることによってパーソナライズされる。
【００１０】
今日のホームエンタテイメントセンター（ＤＶＤおよびＶＣＤプレーヤ）、パーソナルコンピュータのハードウェア（ＣＤ−ＲＯＭおよびＤＶＤ−ＲＯＭドライブ）およびデジタル画像処理（imaging）用の様々なアプリケーションソフトウェア（例えば、マイクロソフト社から市販されているＰｉｃｔｕｒｅＩｔ！（商標）といったアプリケーション）、ならびに選択された画像処理機器（例えば、コダック社のＰｉｃｔｕｒｅＭａｋｅｒ（商標）キオスク）と互換性のあるフォーマットによって、個人的なコンテントをリムーバブルな記憶媒体へ格納することが可能となりつつある。格納のフォーマットは、これらの異なるデータフォーマットをリンクさせ、マルチメディアスライドショーを関心のある特定の画像上で一時停止させて、異なるフォーマットで格納されたデータから対応する高解像度の画像を印刷するといったユーザのシナリオを可能にする付加的なデータを含めることができる。コンテントを格納した媒体の物理的な配達は、葉書やグリーティングカード、あるいはユーザのためのパーソナライズされた包装体を提供する同様の伝達手段によって達成される。通常、画像は写真であると考えられるが、様々な写真の派生物（例えばアウトライン、ピクセレーション（pixellations）等）および画像表現（例えば線画、手描きの絵、漫画等）であるとも考えることができる。
【００１１】
デジタルスチルカメラは、機能性、画質、使い易さ、および手に入れやすさの点において驚くべき速さで改善されている。これらは現在、他の態様のデジタル画像形成システムの機能および有用性を上回っている。現在HPのＰｈｏｔｏＳｍａｒｔ９１２カメラは、２．２４メガピクセルの静止画を撮像し、音声による注釈を付加することができる。フジのＦｉｎｅｐｉｘ４０ｉカメラは、２．４メガピクセルの静止画、および８０秒のＱＶＧＡ（quarter-VGA）ビデオファイルを音とともに撮影し（テレビ画面上で見ると確実に人目を引く）、ＭＰ３（Motion Picture Experts Group 1, Layer 3 Audio）プレーヤを内蔵している。安価なデジタルカメラであるAiptekのＰｅｎＣａｍは、７５枚の小さな写真または１０秒の短いビデオクリップを撮影することができる。消費者はすぐにも、使い易く、シャツのポケットに収まり、大量の高品質の写真ならびにテレビ放送（broadcast television）品質のビデオおよび音声を撮像することが可能な手頃な価格のデジタルカメラをいろいろ選択できるようになるだろう。これらの個人的メディアの記録保管、閲覧、および共有をサポートする使い易い製品に対する消費者の強い要望があることはほぼ確実である。今日のデジタルカメラは、内蔵メモリまたはリムーバブルなメモリのいずれかを用いる。安価なカメラは通常、数メガバイトの内蔵メモリを提供し、より高価なカメラは、コンパクトフラッシュ（商標）、スマートメディア（商標）、メモリースティック（商標）、または同様の大容量メモリモジュール用のスロットを有する。しかしながら、リムーバブルなカメラメモリは高価である。このカメラメモリの高コストのために、ほとんどのデジタルカメラユーザは限られた量を所有して頻繁に再使用する。通常のユーザの行動は、ラップトップコンピュータを携行してカメラの写真を頻繁に取り出すこと（offload）である。この余分なハードウェアと操作は、フィルムカメラの使用からデジタルカメラの使用に変えたいと願う消費者にとって障壁である。それにもかかわらず、今日のデジタルカメラおよびコンピュータの愛好家は、写真を取り出するためにカメラをパーソナルコンピュータに頻繁に接続しなければならないことに対処することができている。しかしながら、従来のフィルムカメラからデジタルカメラに乗り換えることを検討していてコンピュータを所有していない者は、今日のフィルムと同じように取り扱えるものを必要とする。写真現像サービスに頼っている撮影者は、次に小売店を訪れるまでもつだけ十分な余裕がある、デジタルカメラのメモリを持っていなければならない。
【００１２】
消費者は、自分の写真をテレビ（ＴＶ）で見るすることには慣れていないが、カムコーダで撮像したホームビデオをＴＶで見ることには十分慣れている。消費者は、ビデオ動画コンテントを再生するためにＤＶＤを使用することに慣れてきている。今日米国市場および世界市場において市販されているＤＶＤプレーヤの多くは、ビデオＣＤ（ＶＣＤ、Phillips/Sonyのホワイトブックによって仕様が定められている）と呼ばれる代替的なフォーマットをサポートしている。このビデオ規格間での再生は、ある種の場合に大きな利点となり得るが、より大きな消費者の期待を部分的に解決するに過ぎない。今日のエンタテイメントセンターは、プロフェッショナルのエンタテイメントメディア（例えばＴＶ番組、映画、および音楽）へのアクセスを提供するように設計されている。アマチュアの（家庭の）ユーザは、これと同様の方法で家庭の画像（写真およびビデオ）と対話したいと願っている。
【００１３】
印刷は、ホームエンタテイメントセンターの中で最小限のサポートおよび導入しかなされていない。印刷を今サポートしているのは、ユーザタスク、例えばウェブＴＶ（商標）等のサービスからのウェブページやインタラクティブＴＶに関連する印刷用素材（料理番組に付随するレシピ等）の印刷用に設計されているものである。エンタテイメントセンターでの印刷に対する少なくとも２つの新たな要件が生じている。第１の要件は、ローカルな（すなわちローカルなＣＤまたはＤＶＤに格納された）コンテントの印刷であり、アナログビデオ信号から直接印刷を行うこと、閲覧／印刷機器の使用、あるいは適切に備え付けられたＤＶＤプレーヤからのＩＥＥＥ１３９４ベースの印刷の使用を含む。第２の要件は、閲覧中の画像から対応する高解像度データへのリンク（linking）すなわち相互参照である。
【００１４】
テレビ画面は、低解像度画像では良好な結果を生じる。ＶＧＡ解像度画像（６４０×４８０、約１／４メガピクセルのコンピュータ画像）は、テレビ画面上で非常によく映る。今日のマルチメディアデジタルカメラに一般的なＱＶＧＡビデオ（３２０×２４０）でさえ、ＴＶ上で楽しむことができる。この結果、テレビで見るために最適化されたカメラは、非常に低解像度で安価なものであっても良い。現時点でわかっているのは、安価なＶＧＡデジタルカメラを用いて人目を引くマルチメディアスライドショーを作成できることである。
【００１５】
ほぼ全ての写真現像業者は、写真を走査して、互換性のあるアプリケーションプログラムを用いてコンピュータが読み取り可能なコンピュータデータファイルとしてＣＤ−ＲＯＭディスクに格納する別料金のサービスを提供する。この概念は市場によって十分に理解されているが、消費者には未だ広く採用されていない。現在の機能に伴う問題は、生成されるＣＤ−ＲＯＭディスクが主にコンピュータベースのデジタル愛好家にとって有用であることである。しかしながら、写真現像業者からのこのサービスの利用可能性は発展している技術のようであり、製造プロセスは、必要とされるＣＤを作成することによって整っている。さらに、ＣＤの読み出しだけでなく書き込みも可能なＣＤ−ＲＷドライブが、部分的にはデジタル音楽現象により消費者向けパーソナルコンピュータに広く利用可能になっている。コンピュータ愛好家には、素材を特別に集めてＣＤに「焼き付けた」音楽ＣＤを作成することがより一層一般的となっている。このやり方（practice）は、ＣＤライタと安価なＣＤメディアの入手可能性を後押しし、エンタテイメントセンターで再生されるメディアをコンピュータを用いて作成するという消費者の流儀が確立しつつある。
【００１６】
今日、手頃な価格でかつ今日のＤＶＤプレーヤと広く互換性のあるディスクを作成する技術は市場にない。ＣＤ−Ｒメディアは非常に手頃な価格であるが、現在のＤＶＤプレーヤではある種のモデルとしか互換性がない。今日のＤＶＤプレーヤの約４分の１がＣＤ−Ｒメディアを確実に再生するであろうことが実証されているが、家庭で焼き付けた音楽ＣＤをサポートするために互換性は向上しつつあるようである。今日では、ＤＶＤプレーヤと良好な互換性のあるＤＶＤ−Ｒライタおよびメディアが市販されている。しかしながら、この技術は高価である（おそらくＣＤ−Ｒディスクの３０倍高価である）。ＤＶＤ＋ＲＷライタおよびメディアは容易には入手可能でないが、将来的には良好な互換性を得てより安いディスク価格で提供されるであろうことが示唆されている。この問題に対する最も有望な解決策は、ＣＤ−ＲおよびＣＤ−ＲＷメディアの両方（ならびに読み出し専用ＣＤ）をサポートするＤＶＤプレーヤを認定する「マルチプレイ（MultiPlay）」互換プログラムを作成しようというＯＳＴＡ（Optical Storage Technology Association、ＣＤおよびＤＶＤ業界の規格団体）の新たな努力である。これらの認定プレーヤが導入されれば、ＣＤ−ＲディスクおよびＣＤ−ＲＷディスクは、マルチプレイ認定を受けたどのＤＶＤプレーヤとも互換性を持つことになる。
【００１７】
本発明に係る、パーソナライズされた記録媒体および包装体を生成および使用するシステムを図１Ａおよび図１Ｂの図に示す。いくつかのコンテントソースからのコンテントを単一のリムーバブルな記憶媒体に記録し、この記録媒体用のパーソナライズされた包装体を作成し、当該記録媒体を受取人に郵送または他の方法で配達し、この受取人が、広く入手可能な消費者向け再生デバイスを用いてコンテントを最適条件で復元する。好ましい実施形態において、ミニＣＤの包装体は葉書である。ミニＣＤは、どこにでもある１２ｃｍ（４と３／４インチ）直径のディスクの小型版（半径４ｃｍ）としてよく知られている。
【００１８】
図１Ａには４つのコンテントソースを示すが、必ずしもこれらに限られるものではない。静止画ソース１０１が静止画プロセッサ１０３に連結され、さらなる使用の前に画像パラメータ（鮮鋭度、コントラスト、色等）の補正、また時としてデータ圧縮が行われる。（静止画ソースは、画像のデジタル表現を高解像度データファイル、例えばＴＩＦＦ（Tagged Image File Format）またはＪＰＥＧ（Joint Photographic Experts Group）ファイルで提供することが予期される）。アナログ静止画（例えば銀塩フィルムの写真またはスライド）を走査してデジタル表現に変換することもできる）。デジタルビデオコンテントソース１０５は、ビデオプロセッサ１０７に連結され、画像補正およびデータ圧縮が行われる。（アナログビデオはまず最初にデジタル変換が行われなければならない）。音声ソース１０９は音声コンテントを提供し、この音声コンテントは、（たいていの場合がそうであるように）ビデオソース１０５に関連付けられ得る、または（デジタルスチルカメラ、および静止画カメラによって作成されることの多いショートビデオクリップでますます一般的になりつつあるように）静止画ソース１０１に関連付けられ得るか、あるいは独立した音声情報を提供する。音声入力は、他のコンテントプロバイダに直接関連付けられない場合、音声プロセッサ１１１に連結され、さらなる使用に供される前にデジタルサンプリング（必要な場合）、音量レベル調整、音質調整、誤り補正、および圧縮が行われる。他のタイプの情報、例えばテキストおよびグラフィック画像は、コンテントソース１１３、例えばパーソナルコンピュータから受け付けられて、データプロセッサ１１５に連結される。
【００１９】
好ましい実施形態において、静止画プロセッサ１０３は、画像処理アプリケーションプログラム、例えばAdobeのＰｈｏｔｏｓｈｏｐ（登録商標）６．０、Sierra ImagingのＩｍａｇｅ  Ｅｘｐｅｒｔ（商標）２０００、あるいはArcSoftのＰｈｏｔｏｓｔｕｄｉｏ（商標）２０００であり、これらはそれぞれ、様々なフォーマットのコンテントからＪＰＥＧまたはＴＩＦＦ規格に適合した画像ファイルの出力を行うことができる。ビデオプロセッサ１０７は、ビデオシーケンスの編集を提供する動画ビデオ処理アプリケーションプログラム、例えばUleadのＶｉｄｅｏ  Ｓｔｕｄｉｏ（商標）４．０、MGIのＶｉｄｅｏＷａｖｅ（商標）４．０、AdobeのＰｒｅｍｉｅｒ５．０、あるいはAdaptecのＣＤ  Ｃｒｅａｔｏｒ（商標）４．０  Ｄｅｌｕｘｅである。上記ビデオアプリケーションプログラムのほとんどは、ビデオ入力とともに関連する音声入力を受け付け、単体であるいはアダプタを用いてビデオ出力をＭＰＥＧ（Motion Picture Experts Group）規格のフォーマットで生成する。音声プロセッサ１１１は、所望の音声を得るために利用可能な多くの「リッピング」ツールから選択することができ、例えばＭｕｓｉｃ−Ｍａｔｃｈ  Ｊｕｋｅｂｏｘは、ＭＰＥＧ−１レイヤ３（ＭＰ３）およびＭＰＥＧ−１レイヤ２（ＭＰ２）の出力音声ファイルを提供し、Ｗｉｎｄｏｗｓ  Ｓｏｕｎｄ  Ｒｅｃｏｒｄｅｒは出力をＷＡＶファイルで提供し、このＷＡＶファイルは後にＭＰ３またはＭＰ２の音声出力ファイルに変換することができる。データプロセッサ１１５は実質的にファイル作成用のいずれのアプリケーションプログラムであってもよいが、好ましい実施形態では、他のコンテントファイルの記述データ（例えばタイトル、時間情報、または背景情報）であるメタデータを作成するアプリケーションプログラムが特に有用である。
【００２０】
デジタルプロセッサ１１７は、コンテントソースから作成された入力セットを取り込み、ユーザ／作者との対話セッションにおいて、選択された画像のＣＤ１２１への記録１１９（「焼き付け」）および印刷１２７に適した出力を生じるために必要な全ての変換（コンテントデータを現在のフォーマットで取り込み、これを適切な出力規格と互換性があるようにすることを保証する）データを生成するプロセスを行う。好ましい実施形態において、デジタルプロセッサ１１７からＣＤに焼き付けるための出力（一般にコンピュータファイルと呼ばれる）は、ＣＤ−ＲＯＭ（ＸＡ）規格およびビデオＣＤ（ホワイトブック）規格に準拠したフォルダ（サブディレクトリ）に作成され、また好ましい実施形態において、「写真」フォルダ（ピクチャーＣＤ仕様に適合したファイルを含む）、「ビデオ」フォルダ（ＭＰＥＧ−１規格に適合したファイルを含む）、「音声」フォルダ（ＷＡＶ規格に適合したファイルを含む）、および任意で「その他」フォルダ（その他のＩＳＯ９６６０に適合したファイルを含む）を含む。ＣＤへの記録機能１１９は、デジタルプロセッサ１１７から上記ディスクのプレ画像（pre-image）情報を取り込んで書き込み可能なＣＤディスク１２１に記録を作成する、すなわち「焼き付ける」従来のハードウェアおよびソフトウェアを使用する。デジタルプロセッサ１１７はさらに、印刷デバイス１２７に送るのに適した、ＣＤ１２１のパッケージ上に印刷すべきデジタル画像を含む印刷ファイルを作成する。図１Ａに示すプロセスは、選択されたアプリケーションプログラムの固有の機能に応じて、各ブロックに見られる重複する機能を有することができることに留意すべきである。
【００２１】
ＣＤコンピュータ書き込み可能な記憶媒体の包装体（好ましい実施形態では専用の葉書１２５）は、静止画の中から１枚の画像を、ビデオ画像から１フレームを、あるいは関連する高解像度の画像ファイルを選択することによって作成される。選択された画像は、画像の改善、写真の領域選択（cropping）、および写真に対する他のユーザ指定の改善のためにコンピュータモニタ上でユーザまたは作者に提示される。写真は、ユーザにとって満足のいくものとなると、ＣＤの包装用媒体として用いられる葉書状媒体の「絵柄」面の印刷のために印刷デバイス１２７（例えばHewlett-Packard社から市販されているＨＰ９７０Ｃｘｉ）に送られる。ミニＣＤは、葉書状包装体１２５に挿入されて従来通りに郵送される。
【００２２】
図１Ｂに示すように、受取人は、葉書状包装体１２５を受け取ると、ＣＤ１２１を取り出してプレーヤで再生することができる。２つの広く入手可能な消費者向けのプレーヤが図示される。ＤＶＤ／ＶＣＤプレーヤ１３１は、消費者に広く用いられるエンタテイメントデバイスとなっている。ＤＶＤディスクの再生用に設計されたほとんどのプレーヤはＶＣＤディスクも再生することができる。これは、ＤＶＤプレーヤが用いるＭＰＥＧ−２規格のデータ圧縮が、ＶＣＤ規格を用いたＣＤに見られるＭＰＥＧ−１規格も包含するためである。ＤＶＤディスクのほとんどのプレーヤは、音声用ＣＤディスクも再生することができるため、リスナーに音声出力を提供する。ＤＶＤ／ＶＣＤプレーヤが、テレビビデオ表示デバイス１３３による表示のためのビデオ出力を提供するのはもちろんである。通常、テレビ表示デバイスは、テレビ放送規格（ＮＴＳＣ（３５２×２４０画素、インターレース）、ＰＡＬ（３５２×２８８画素、インターレース）、ＳＥＣＡＭ等）に準拠し、ビデオ画像を低解像度で配信する。より新しい規格、例えばＨＤＴＶは、より幅広の画面フォーマットでより高解像度（例えば、一実施態様では１２８０×１０２４画素でメガピクセルよりも少し多い）を提供するが、未だ市場ではあまり浸透していない。静止画は通常、多くの場合に「スライドショー」と呼ばれる連結された画像シーケンスに変換される。好ましい実施形態におけるスライドショーを、表示部１３７（従来の家庭環境ではテレビセットである可能性が最も高い）に送られるものとして図示する。静止画のスライドショーには画像毎に、作者によって設定された数秒間以上のドウェル時間とすることができる。
【００２３】
例えばピクチャーＣＤ規格に従って格納された静止画は通常、ビデオ表示よりも遥かに高い解像度（例えば１５３６×１２８０画素、約２メガピクセル）を有するが、標準的なテレビ放送規格への変換は、あるいはＨＤＴＶ規格への変換でさえ、視聴者に対して最大解像度を提示しない。様々な出力がリンクすなわち統合された場合、視聴者に対する提示は、プレーヤおよび表示デバイスから可能な最高の忠実度、解像度、および最高品質の画像表示に最適化される。ビデオフォーマットのコンテントを観ている視聴者はビデオコンテントの１枚の画像すなわち１フレームを選択して、これを印刷デバイス１３９上で、閲覧中の画像の解像度よりもよい解像度で印刷することを要求することができる。
【００２４】
一般的なＣＤプレーヤの別の例は、通常パーソナルコンピュータ１４３に付属したＣＤ−ＲＯＭプレーヤ１４１である。かかるＣＤ−ＲＯＭプレーヤの通常機能は、デジタル情報（データ、コンピュータファイル、アプリケーションプログラム等）を後続の動作のためにコンピュータ１４３へ送ることである。改良型のＣＤ−ＲＯＭプレーヤは、ＤＶＤ、ＶＣＤ、静止画（ピクチャーＣＤ規格）フォーマット、および音声ＣＤ情報を読み出してコンピュータ１４３へ出力する機能を含む。そうしたＤＶＤ再生機能を有するプレーヤは通常、ＤＶＤ−ＲＯＭと呼ばれる。ユーザによる対話のための通常のコンピュータデータまたはグラフィックスの表示（１４５）に加えて、コンピュータは、コンピュータモニタ表示部１４７にビデオを（通常は従来のテレビセットの解像度よりもよい解像度で）提供することができる。ピクチャーＣＤ規格、および他の規格を用いたデジタルカメラ等の忠実度の高い撮像デバイスからの静止画の表示は、従来のテレビセットによって提供されるものよりも優れたものとすることができる。適切なアプリケーションプログラムの使用により、格納された画像の最大解像度にアクセスして、コンピュータモニタ上に全体像としてではなく（「ズーム」機能により）部分的に表示することができる。ユーザに最適な品質を提示できるようにするために、（異なるフォーマットで）格納された情報のリンクが利用可能である。その場合、リンクされた画像がビデオ表示部１４７に表示されるか、あるいは印刷デバイス１５１上で印刷される。
【００２５】
好ましい実施形態において、パーソナライズされたコンピュータ記憶媒体（ＣＤ）の受取人への配達に用いられるパッケージは葉書である。米国の郵政事業は、扱う媒体が一定の仕様を満たすことを要求する。米国の郵政事業は、葉書に対して、厚さが均一であり、高さ８９ｍｍ（３と１／２インチ）〜１０８ｍｍ（４と１／４インチ）、長さ１２７ｍｍ（５インチ）〜１５２ｍｍ（６インチ）、および厚さ０．１８ｍｍ（０．００７インチ）〜０．４１ｍｍ（０．０１６インチ）の寸法を持つ長方形の１枚の（または積層体の）紙またはカードストックとすべきことを規定している（そして特別な低価格の葉書料金を課している）。許容された最大の厚さはＣＤの厚みよりも小さいため、一般の人々は葉書を扱っているという認識であるにもかかわらず、本発明の「葉書」は第１種郵便料金（first class postage）を必要とする。しかるべく、ＣＤの例示的な葉書状包装体を図２Ａ、図２Ｂ、図２Ｃ、および図２Ｄの図で示す。この葉書状パッケージは、カード表面の薄層２０１、カード裏面の薄層２０３、および中間フィラー２０５をともに積層することによって組み立てられる。図２ａに示す裏面の薄層２０３は、長方形の１枚の紙であり、その外側表面には受取人の宛先２０７と、ＣＤ記憶媒体をパッケージから取り出す（depackaging）ための指示２０９とが印刷されている。改良型の好ましい実施形態では、第１種郵便料金は前払いされており、裏面の薄層に既知の様式で同様に印刷され得る。図２Ｂに示す表面の薄層２０１は、選択された画像２１０が印刷デバイス１２７によって外側表面に印刷されている。切断または穴あけされてＣＤ用のポケットを形成するフィラー２０５は、２４ポンドの紙ストック（paper stock）からなり、裏面部分（back piece）および表面部分に接着剤で貼り付けられて、図２Ｂの２Ｃ−２Ｃ断面で示すポケット付葉書１２５をもたらす。組み立て体に適度な圧力を加え、薄層から漏れ出た余分な接着剤を取り除く。代替的な実施形態ではフィラー自体が多層体（multilaminate）であり、さらに別の実施形態ではフィラーは多孔質である。好ましい実施形態における葉書の寸法は、幅（Ｗ）１５．２５ｃｍ（６インチ）、高さ（Ｈ）９．８４ｃｍ（３と７／８インチ）であり、ミニＣＤに対応する曲線状かつテーパ状のポケット２１１を有する。ミニＣＤの容易な挿入および取り出しに対応するために、ポケット２１１は葉書状包装体内で、４．１ｃｍ（１．６インチ）の最小寸法を有する半径Ｒ1をもって終端し、葉書の縁側に８．９ｃｍ（３と１／２インチ）の最小長さ寸法Ｓを有するスロット２１３へ外側に向かってテーパ状になっている。郵便法規によって要求される均一な厚さを維持するために、ミニＣＤの挿入後にポケット２１１に挿入するための、図２Ｄに示すプラグ２１７が使用可能である。好ましい実施形態において、プラグは、フィラー２０５を切断／パンチした結果得られるものであるため、それ自体がスロット２１１の相補的な寸法、すなわち４．１ｃｍの半径および８．８９ｃｍの縁寸法（edge dimension）Ｓ’を有する。
【００２６】
したがって、ミニＣＤに続いてプラグ２１７がユーザによってポケットに挿入され、葉書状包装体は郵送前に、１つまたは複数の貼り付けラベルを葉書の開いた縁（open edge）に貼ることによって密閉される。これらのラベルは好ましくは円形で透明であり、葉書の表面部分および裏面部分への妨げを最小限にするようになっている。
【００２７】
葉書作成サービスは、商業環境で提供することができる。写真フィルム現像所は、多目的ドラッグストアや大型小売店において普及してきている。従来のフィルム現像所におけるさらなる発達は、非常に迅速な写真フィルムの現像および任意選択的なデジタル画像への変換および画像印刷をもたらした。写真現像サービスの改善には、写真および葉書印刷用のキオスクを含めることが含まれる。本発明を提供するキオスクの略図を図３に示す。
【００２８】
キオスク３０１からの所望の出力は、本質的にミニＣＤの包装体の機能を果たす特注葉書といったハードコピー出力である。このミニＣＤは、ユーザによって、あるいは改良型ではキオスクのハードウェア自体によって、葉書に挿入される。キオスクに対する入力は、画像、音声、キーボード、コンピュータ、および取引の支払いを含む。ユーザは、デジタルカメラまたはビデオカメラを入力コネクタ、好ましくはＩＥＥＥ１３９４ポート（ただし他の規格のポートを使用することもできる）に連結し、画像データファイルまたはデジタルビデオをキオスクコンピュータ中のコンピュータ構成にアップロードできるようにする。アナログビデオカメラは、コンポジットビデオ入力およびＳビデオ入力ならびにフレームキャプチャ機能（frame capture）を備えて、アナログビデオまたはデジタルビデオのいずれかから印刷用の１枚の画像を取得する。ユーザにより単一イベント中に行われたものや、あるいはピクチャーＣＤ（商標）のような記憶媒体から入力された従来の写真フィルムからの走査画像も入力として利用可能である。さらにデジタル画像のライブラリが、葉書／包装体上に印刷すべき画像の選択の際に使用可能である。これは、旅行者がよく訪れる場所にキオスクを設置した場合に特に関心が持たれる特徴である。改良型のキオスクでは、デジタルカメラとマイクロホンがキオスクに一体化されて、写真および音をキオスク自体で取り込めるようになっている。この場合、適切な面白い背景がキオスクの所有者によって提供され得る。
【００２９】
いずれにせよ、ユーザには、選択対象となる画像の表示が提示され得る。商業的な実施形態ではタッチスクリーンコンピュータモニタ３０３上に提示されるこの表示は、サムネイル画像のマトリックスであることが好ましいが、全画面フォーマットで提示される画像の「スライドショー」とすることもできる。次にユーザは、さらなる処理を行って最終的には印刷するために、画像表示から１枚の画像を選択することができる。画像にはそれぞれ（画像ソースから既に指定されていない場合）一意の識別子が与えられ、ユーザはタッチスクリーンモニタ３０３またはキーボード３０５を介して画像識別子を選択する。キオスクモニタ３０３は、全画面版の画像を提示し、画像を改善して葉書／包装体上に配置するための最良の選択領域（crop）を選択する機会をユーザに与える。
【００３０】
音声入力は、デジタルカメラまたはビデオカメラから、あるいは独立したアナログおよびデジタル音声再生デバイスから取り込まれ、これらソースはそれぞれ、標準的なコネクタを介してキオスクに連結され得る。滝の音、群集の騒音等といった特定の地元の名所の音を含み、おそらくは選択されたライブラリ画像と連係した音声録音物ならびに事前録音された背景音楽がユーザの選択に供される。選択したソースからの、アナログフォーマットまたはデジタルフォーマット（例えばＭＰ３）とすることができる音声は、タッチスクリーンモニタ３０３にユーザが触れることによって選択される。音声入力は次に、ＣＤへの焼き付けに備えてＭＰＥＧ−１レイヤ２（ＭＰ２）デジタル形式に（既にそうでない場合は）変換される。
【００３１】
キオスクに連結するユーザのコンピュータの主な入力は有線のＵＳＢポートであるが、赤外線またはＩＥＥＥ８０２．１１Ｂワイヤレス接続あるいはその両方を設けることもできる。ユーザは、テキストまたは他のメッセージを含むコンピュータファイルをアップロードすることができる。ユーザがメッセージをその場で（on the fly）作成することを望む場合、キーボード３０５が、ＣＤに焼き付けるための、あるいは包装体上の印刷メッセージとしての即席メッセージを入力する手段を提供する。
【００３２】
好ましい実施形態において、ハードコピー出力の作成の代金の支払いはクレジットカードで行われる。ユーザは、画像および他のデータを入力する前に、利用可能な様々なサービスおよびオプション（葉書に必要な郵便料金の支払いオプションを含む）の料金リストを読む。ユーザは次に、所望のサービスを選択し、従来の方法でクレジットカードを読み取り機に通して承認を求め、承認を受ける。
【００３３】
キオスク内には、図４のブロック図に示すもののようなコンピュータ構成が含まれる。コンピュータ４０１、例えばHewlett-Packard社から市販されている、Ｐｅｎｔｉｕｍ  ＩＩＩの８００ＭＨｚマイクロプロセッサを６４メガバイトのＲＡＭおよび１０ギガバイトのハードドライブメモリとともに使用するＰａｖｉｌｉｏｎに、選択されたアプリケーションプログラム、例えば静止画処理用のAdobeのＰｈｏｔｏｓｈｏｐ（登録商標）６．０、Sierra ImagingのＩｍａｇｅ  Ｅｘｐｅｒｔ（商標）２０００、あるいはArcSoftのＰｈｏｔｏｓｔｕｄｉｏ（商標）２０００、ビデオシーケンス編集用のUleadのＶｉｄｅｏ  Ｓｔｕｄｉｏ（商標）４．０、MGIのＶｉｄｅｏＷａｖｅ（商標）４．０、AdobeのＰｒｅｍｉｅｒ５．０、あるいはAdaptecのＣＤ  Ｃｒｅａｔｏｒ（商標）４．０  Ｄｅｌｕｘｅ、音声入力用のＭｕｓｉｃ−Ｍａｔｃｈ  ＪｕｋｅｂｏｘあるいはＷｉｎｄｏｗｓ  Ｓｏｕｎｄ  Ｒｅｃｏｒｄｅｒ、ならびにＣＤへの焼き付け用のAdaptecのＥａｓｙ  Ｃｒｅａｔｏｒ４がインストールされる。静止画、ビデオ、音声、および他のコンテントを処理に送ることができるようにするため、１つまたは複数のコンテントソース４０３、４０５がコンピュータの適切な入力ポート（複数可）に連結される。人間のユーザ／作者は、１つまたは複数のインタフェース４０７（例えばキーボード、ビデオモニタ、およびマウス）を介してコンピュータと対話し、入力を選択および処理して受取人の宛先および郵便料金収納印（postal franking）を提供する。コンピュータ４０１からの出力ファイルは書き込み可能なＣＤ仕様のフォーマットで、メディアレコーダ（medium recorder）４０９（好ましい実施形態ではHewlett-Packard社製のＣＤ−Ｗｒｉｔｅｒ  Ｐｌｕｓである）と、プリンタ４１１（例えばHewlett-Packard社製のＨＰ９７０Ｃｘｉプリンタ）とに送られる。
【００３４】
代替的な実施形態において、キオスクの動作は以下の通りである（図５を参照）。ユーザが小売店内のキオスクのところに行く。ユーザは、デジタルカメラと、支払いを承認するクレジットカードとを手に持っている。取引の支払いが完了する（５０１）と、画像コンテントの入力ポートの選択を行う（５０３）。好ましい実施形態における画像入力の選択プロセスを図６のフローチャートに示す。可能な入力の表示をユーザに提示し、ユーザが入力を選択することを可能にする（６０１）。画像入力の選択がデジタルカメラであった場合、ユーザは、カメラのビデオ出力および音声出力をキオスクの適切なコネクタに接続するように促される。ユーザは次に、デジタルカメラに格納された画像ファイルをアップロードする（６０３）ように促される。ファイルがＴＩＦＦフォーマットでない場合、これらを変換する（６０５）。選択がビデオカメラ、例えばカムコーダであった場合、ユーザはビデオカメラのビデオ出力および音声出力をキオスクの適切なコネクタに接続するように促され、この入力がアナログ形式であるのかデジタル形式であるのかについて判定を行う（６０７）。入力がアナログである場合、ビデオを従来の方法でデジタル化し（６０９）、従来の方法でフレームフリーズ（freeze frame）（６１１）においてビデオの１フレームを印刷する画像として選択する機会をユーザに与える。このフレームをＴＩＦＦフォーマットで保存する（６１３）。選択が従来の写真用フィルムメディアであった場合、フィルムは画像のデジタル化のために既に走査され、コンパクトディスク等の記憶媒体でキオスクに与えられているのか、あるいはフィルムのネガまたはポジのプリントまたはスライドとしてキオスクに与えられているのかについてさらなる判定を行う（６１５）。内部ファイルが選択された場合、物理的な入力をポジプリント／ネガとして走査する（６１７）。ファイルが外部のものである場合、写真ファイルを外部ディスクからアップロードし（６１９）、必要であればそれらのファイルをＴＩＦＦフォーマットに変換する（６２１）。選択がキオスクの写真ライブラリに事前に格納された写真のライブラリを閲覧するものであった場合、ユーザに写真のカテゴリリストを提示し（６２３）、１つのカテゴリの選択を受け付ける（６２５）。そのカテゴリの写真のファイルを特定し（６２７）、その写真に関連した音声ファイルへのリンクを提供する（６２９）。内蔵カメラを備えるキオスクでは、ユーザが内蔵カメラのオプションを選択することによって、カメラ、マイクロホン、およびコンピュータモニタが起動され（６３１）、カメラが見たもののビデオ画像をユーザに提供する。ユーザは、モニタ上に示された写真に満足すると、入力の受け付け（６３３）において静止画の場合にはスナップショットボタン、ビデオ画像の場合には開始ボタンおよび停止ボタンを押し、キオスクに画像またはビデオを保存させる（６３７）。このプロセスは、ユーザがメッセジを完成させるまで、あるいはＣＤへの記録に利用可能な所定の最大時間（または記憶容量（storage））にわたって繰り返すことができる。カメラ、マイクロホン、およびモニタを停止し（６３９）、写真および音声をＴＩＦＦフォーマットで保��する。
【００３５】
図５に戻ると、ユーザがより多くの画像を入力することを望む場合があるため、さらなる入力を望むかどうかを判定するテストを行う（５０４）。選択ステップ５０３から画像が入力されると、サムネイルフォーマットでの画像の表示をユーザに対して行う（５０５）。表面部分に印刷するための１枚の画像を選択する機会をユーザに与える（５０７）。選択された画像を全画面画像としてモニタ３０３に表示し（５０９）、ユーザが画像を修正および改善し、そして画像を包装体の外形に合わせて領域選択および拡大縮小することを可能にする（５１１）。
【００３６】
ユーザがＣＤに音声を収めることを望むのであれば、音声入力の選択を提供する（５１３）。音声入力の選択プロセスを図７のフローチャートにさらに示す。好ましい実施形態において、７０１の選択は、なし、外部デジタル音声、外部アナログ音声、内部アナログ、および音声ファイルライブラリの中から行う。選択が外部デジタル音声ソースである場合、ユーザは、音声ソースをキオスクのデジタルコネクタに接続するように促される。（この接続は、デジタルカメラまたはデジタルビデオカメラを接続した際に既に行われている場合があり、関連する音声はビデオファイルに含まれている）。次に外部デジタル音声ソースが起動され、音声ファイルがキオスクに入力される。ファイルがＭＰ２フォーマットでない場合、好ましい実施形態ではこれをＭＰ２ファイルに変換する（７０３）。外部アナログ音声ソースの場合も同様であり、音声ソースを接続し、起動させ、音声信号をデジタル化してＭＰ２ファイルにする（７０５）。キオスクのマイクロホンを用いて、ＣＤに焼き付ける音声ファイルを録音することもでき、そのモードを選択すると、マイクロホンが起動され（７０７）、その後で音声をデジタル化してＭＰ２ファイルにする（７０５）。音のファイルのライブラリを選択することもでき、選択された事前に格納されたビデオファイルからのリンクが確立されているかどうかを確認するテストを行う（７０９）。かかるリンクが存在する場合、このファイルをＣＤに焼き付けるように選択するオプションをユーザに与える（７１１）。選択されたビデオからのリンクが設定されていない場合、あるいはリンクされた音声ファイルをユーザが使用したくない場合、音声ファイルのカテゴリリストをユーザに与える（７１３）。ユーザは選択を行うことができ、この選択を受け付け（７１５）、選択された音声ファイルの位置を見つける（７１７）。ユーザは任意選択的に、最終的な選択をする前にファイルを試聴することができる。いずれかの音声ソースから音声ファイルが選択されると（選択された場合）、このファイルをＣＤへの焼き付けに備える（５１５）。
【００３７】
ユーザは、音声ファイルの代わりに、あるいは音声ファイルに加えて、テキストまたは他の情報を含むデータファイルの追加を選ぶことができる。データ入力ソースの選択（５１７）を図８のフローチャートに示す。ユーザは、キオスクのキーボード３０５からテキストメッセージを入力するか、あるいは外部のコンピュータまたは記憶媒体からコンピュータデータファイルをアップロードすることができる。この選択はユーザによって行われる（８０１）。外部のコンピュータソースが選択された場合、ユーザは、コンピュータの出力ポートまたはワイヤレスでの等価物をキオスクのポートにつなぐように指示される。ファイルが持ち運び可能な媒体に格納されている場合、この媒体は例えばキオスクのディスクリーダに挿入される。いずれの場合にも所望のファイルをアップロードする（８０３）。ユーザがメッセージを打ち込むことを望む場合、キーボードオプションが選択され、キーボードが用いられて、キオスクにユーザのキーストロークを受け付けさせる（８０５）。完成したメッセージはワードプロセッシングフォーマットでデータファイルに格納される（８０７）。データファイルをＣＤに焼き付けるのか、あるいは包装体の裏面部分に印刷するのかに応じて、いずれかの入力からのデータファイルをＣＤへの焼き付けまたは印刷に備える（８０９）。
【００３８】
包装体が葉書上のパッケージであり、ユーザが適切な郵便料金を支払っている場合、郵便料金収納印の付与にアクセスする。表ページを作成し、次に印刷ドライバを起動して（５２１）、包装体の表面の薄層に画像を印刷する（５２３）。裏ページを作成し、再び印刷ドライバを呼び出して（５２５）、包装体の裏面の薄層に任意のデータファイルおよび郵便料金収納印を印刷する（５２７）。改良型のキオスクでは、ＣＤへの貼り付け（deposition）に適したラベルを、ユーザによって規定された画像および／またはテキストを用いて作成して印刷する。必要に応じて、画像ファイル、ビデオファイル、音声ファイル、およびデータファイルは次に、ＣＤに焼き付けることによって格納される（５２９）。包装体を組み立て（５３１）、ＣＤおよび包装体をキオスクから取り出す（５３３）。
【００３９】
代替的な実施形態は、より大きな体裁の包装体、例えばグリーティングカードまたはＱＳＬカードを包含する。かかるグリーティングカード９０１の一例を、内側のメッセージ部分を開いた状態で図９に示す。葉書の実施形態と同様に、このグリーティングは、パーソナライズされた画像またはグラフィックが印刷された表面の薄層（図示せず）と、内側のメッセージ薄層９０３と、表面の薄層と内側のメッセージ薄層との間に挟持されたフィラー部分とを有する。フィラー部分は、切断または穴あけされて、多層からなるグリーティングカード中にポケット９０５を形成する。グリーティングカードは標準の第１種郵便料金によって送られることが予期されるため、その寸法は上述の葉書よりも大きくすることができる。例えば、グリーティングカードは、２１．６ｃｍ（８と１／２インチ）×２８．０ｃｍ（１１インチ）の寸法を有し、よって従来のサイズのＣＤ（直径１２．０６ｃｍ（４と３／４インチ））に対応することができる。したがって、ポケット９０５は、グリーティングカードの内側に最小６．１ｃｍの末端半径（terminal radius）Ｒ2および入口スロット９０７へ向かうテーパを有することになり、この入口スロット９０７は１３．１ｃｍの長さ寸法を有する。必要であれば、葉書の実施形態において用いたものと同様のフィラープラグ（図示せず）を用いて、均一な厚さをもたらすこともできる。図９に示す実施形態は、開いたグリーティングカード９０１の中央で折れる折り目９０９のところで開く入口スロット９０７を有する。したがって、好ましい実施形態は、密閉装置を必要とすることなくＣＤをそれ自身が封じ込める特徴を提供する。もちろんスロットは、さらなる代替的な実施形態において、グリーティングカードの任意の縁に対して開放しており、適切な接着ラベルを用いて密閉され得る。
【００４０】
したがって、ユーザフレンドリーな物理的包装体、例えば葉書状の媒体、グリーティングカード等が、ＣＤなどの挿入された記録媒体に配設されるユーザ作成の豊富な情報源を用いて改善されパーソナライズされる。カードの外観は、ユーザによって選択または作成された写真またはグラフィックによりパーソナライズされる。
【図面の簡単な説明】
【００４１】
【図１Ａ】本発明に係る、パーソナライズされた記録媒体および包装体を作成および使用するシステムのブロック図である。
【図１Ｂ】本発明に係る、パーソナライズされた記録媒体および包装体を作成および使用するシステムのブロック図である。
【図２Ａ】本発明で使用される例示的な葉書状包装体の図である。
【図２Ｂ】本発明で使用される例示的な葉書状包装体の図である。
【図２Ｃ】図２Ａの例示的な葉書の断面図である。
【図２Ｄ】図２Ａないし図２Ｃに示す例示的な葉書状包装体において用いることができるプラグの図である。
【図３】本発明を使用することができるキオスクの略図である。
【図４】図３のキオスクにおいて使用することができるコンピュータ構成のブロック図である。
【図５】図３のキオスクの動作のフローチャートである。
【図６】図５のフローチャートに示すキオスクの動作に使用することができる画像入力の選択プロセスのフローチャートである。
【図７】図５のフローチャートに示すキオスクの動作に使用することができる音声入力の選択プロセスのフローチャートである。
【図８】図５のフローチャートに示すキオスクの動作に使用することができるデータ入力ソースの選択のプロセスのフローチャートである。
【図９】本発明で使用することができる代替的なグリーティングカード包装体の図である。
【図１Ａ】
2004531433.tif 000003
【図１Ｂ】
2004531433.tif 000004
【図２Ａ】
2004531433.tif 000005
【図２Ｂ】
2004531433.tif 000006
【図２Ｃ】
2004531433.tif 000007
【図２Ｄ】
2004531433.tif 000008
【図３】
2004531433.tif 000009
【図４】
2004531433.tif 000010
【図５】
2004531433.tif 000011
【図６】
2004531433.tif 000012
【図７】
2004531433.tif 000013
【図８】
2004531433.tif 000014
【図９】
2004531433.tif 000015
【国際公開パンフレット】
2004531433.tif 000016
2004531433.tif 000017
2004531433.tif 000018
2004531433.tif 000019
2004531433.tif 000020
2004531433.tif 000021
2004531433.tif 000022
2004531433.tif 000023
2004531433.tif 000024
2004531433.tif 000025
2004531433.tif 000026
2004531433.tif 000027
2004531433.tif 000028
2004531433.tif 000029
2004531433.tif 000030
2004531433.tif 000031
2004531433.tif 000032
2004531433.tif 000033
2004531433.tif 000034
2004531433.tif 000035
2004531433.tif 000036
2004531433.tif 000037
2004531433.tif 000038
2004531433.tif 000039
2004531433.tif 000040
2004531433.tif 000041
2004531433.tif 000042
2004531433.tif 000043
2004531433.tif 000044
2004531433.tif 000045
2004531433.tif 000046
2004531433.tif 000047
2004531433.tif 000048
2004531433.tif 000049
2004531433.tif 000050
2004531433.tif 000051
【国際公開パンフレット（コレクトバージョン）】
2004531433.tif 000052
【国際調査報告】
2004531433.tif 000053
2004531433.tif 000054